(57)【要約】【目的】  清掃用シートを放射状の切り溝の中心部分に指で押し入れて、この指を引き抜く際に、切り溝で分割される分割片の先端が一度に指に食い込むことを防ぐことができて、指の痛みを差程感じずに指を引き抜くことができるシート状清掃具を提供する。【構成】  清掃具本体１の上面の適宜箇所に弾性体２を配置し、この弾性体２に放射状の切り溝２ｃを形成し、清掃具本体１の下面から上面にかけて清掃用シート３を被せ、この清掃用シート３の両端部分を弾性体２の切り溝２ｃに指Ｕで押し込んで係止させるようにしたシート状清掃具において、弾性体２の放射状の切り溝２ｃで分割される分割片２ｄの中で、１つ以上の分割片２ｄの剛性を対向する分割片２ｄの剛性より大きく形成した。【選択図】  図１
2005334496.tif 000002
【特許請求の範囲】
【請求項１】
清掃具本体の上面の適宜箇所に弾性体を配置し、この弾性体に放射状の切り溝を形成し、前記清掃具本体の下面から上面にかけて清掃用シートを被せ、この清掃用シートの両端部分を前記弾性体の切り溝に指で押し込んで係止させるようにしたシート状清掃具において、分割片の中で、１つ以上の分割片の剛性を対向する分割片の剛性より大きく形成したことを特徴とするシート状清掃具。
【請求項２】
清掃具本体の上面の適宜箇所に弾性体を配置し、この弾性体に放射状の切り溝を形成し、前記清掃具本体の下面から上面にかけて掃除用シートを被せ、この清掃用シートの両端部分を前記弾性体の切り溝に指で押し込んで係止させるようにしたシート状清掃具において、前記切り溝で分割される分割片の先端の中心部に穴部が形成され、各分割片の先端が突状湾曲先端に形成されたたことを特徴とするシート状清掃具。
【請求項３】
清掃具本体の上面の適宜箇所に弾性体を配置し、この弾性体に放射状の切り溝を形成し、前記清掃具本体の下面から上面にかけて清掃用シートを被せ、この清掃用シートの両端部分を前記弾性体の切り溝に指で押し込んで係止させるようにしたシート状清掃具において、前記切り溝で分割される分割片の少なくとも１つ以上に、その表面又は／及び裏面において先端に向けて斜めに切り込んだ先鋭部が設けられたことを特徴とするシート状清掃具。
【請求項４】
清掃具本体の上面の適宜箇所に弾性体を配置し、この弾性体に放射状の切り溝を形成し、前記清掃具本体の下面から上面にかけて清掃用シートを被せ、この清掃用シートの両端部分を前記弾性体の切り溝に指で押し込んで係止させるようにしたシート状清掃具において、前記弾性体の放射状の切り溝で分割される分割片の全てに表面に盛り上がる大きさの等しい肉盛り部を設けたことを特徴とするシート状清掃具。
【請求項５】
前記放射状の切り溝は前記弾性体に幅大の分割片と幅小の分割片が形成されるように構成された請求項１に記載のシート状清掃具。
【請求項６】
前記分割片の少なくとも１つに表面に盛り上がる肉盛り部を設けて剛性を大きくした請求項１に記載のシート状清掃具。
【請求項７】
前記切り溝で分割される分割片の全てに表面に盛り上がる肉盛り部を設け、この肉盛り部の中において大きく盛り上がった大肉盛り部と小さく盛り上がった小肉盛り部を形成し、大肉盛り部により剛性を大きくした請求項１に記載のシート状清掃具。
【請求項８】
前記肉盛り部は、前記分割片の先端部が最も高く形成され、外側に向けて次第に低くなるように形成されている請求項４、６又は７に記載のシート状清掃具。
【請求項９】
前記肉盛り部は、前記分割片の先端部に突出状に形成されている請求項６に記載のシート状清掃具。
【請求項１０】
前記分割片の少なくとも１つが他の分割片より肉厚に形成されて剛性を大きくした請求項１に記載のシート状清掃具。
【請求項１１】
前記分割片のうち少なくとも１つに、肉厚が同一の膨出部を形成して剛性を大きくした請求項１に記載のシート状清掃具。
【請求項１２】
前記分割片の先端は円弧状に形成されている請求項２に記載のシート状清掃具。
【請求項１３】
請求項１乃至１２のいずれかのシート状清掃具において、前記弾性体に放射状の切り溝と同時に非放射状の切り溝を連通して形成したことを特徴とするシート状清掃具。
【発明の詳細な説明】
【技術分野】
【０００１】
本発明は、清掃具本体の上面の適宜箇所に弾性体を配置し、この弾性体に放射状の切り溝を形成し、清掃具本体の下面から上面にかけて清掃用シートを被せ、この清掃用シートの両端部分を弾性体の切り溝に指で押し込んで係止させるようにしたシート状清掃具に関するものである。
【背景技術】
【０００２】
図２６は、実開昭４９−６８２６３により開示される第１従来技術の掃除具の説明図である。この従来の掃除具は、（２６Ａ）（２６Ｂ）（２６Ｃ）に示すように、掃除用繊維布１１３の保持板１０１と、この保持板１０１に対し回転自在に連結された支持棒１０３よりなる掃除具である。保持板１０１はその上面端部に少なくとも２個の可撓性樹脂板からなりその中心共通点に集合する多数の切れ目１１０をもつ掃除用繊維布固定装置を有するものである。
【０００３】
また、図２８、図２９、図３０は、実登３０２２６７５により開示される第２従来技術の清掃用具を示す図である。この従来の清掃用具は、本図に示すように、清掃シート２１９を装着可能とする清掃シート装着具２２１が清掃用具本体の上面に形成された嵌合孔２２４に嵌合設置可能とされている。清掃シート装着具２２１は、筒部（図示略）と天面部２２３とより構成され、筒部を嵌合可能とするとともに、天面部２２３に開き用スリット２２５及び保持用スリット２２６が形成されている。これらのうち開き用スリット２２５は放射状に延在して設けられ、また、保持用スリット２２６は、開き用スリット２２５に連続するとともに、更に鋸歯形状に形成されている。
【特許文献１】実開昭４９−６８２６３号公報
【特許文献２】実登録第３０２２６７５号公報
【発明の開示】
【発明が解決しようとする課題】
【０００４】
上述した第１従来技術の掃除具においては、保持板１０１に形成された多数の切れ目１１０に掃除用繊維布１１３を指で押し入れる。その後に、この指を引き抜くときに、図２７に示すように、切れ目１１０部分の先端１１０ａが指Ｕに周囲から食い込んで指が千切れるように痛くなる。指Ｕを上向きに引き抜くときに切れ目１１０部分の先端１１０ａの間隔が次第に狭まるために次第に指の奥まで食い込んでくる。このために、この指Ｕの痛さは、次第に大きくなり、引き抜き終わるまでこの痛さを段々ひどく感じてしまうという問題があった。
【０００５】
また、上述した第２従来技術の清掃用具においては、放射状の開き用スリット２２５に加えて鋸刃状の保持用スリット２２６が形成されているために、清掃シート２１９を指で開き用スリット２２５に押し入れて、指を引き抜くときに、放射状部分と鋸歯形状部分が同時的に食い込んでしまう。このように、指に放射状部分と多くの鋸歯形状部分が食い込んでしまうので、指が千切れる程痛くなってしまう。これも、指を上向きに抜き取るときに、次第に先端部分の間隔が狭まり一層ひどい痛みを伴うという問題があった。特に、この第２従来技術では、開き用スリット２２５の先端角部に加えて、保持用スリット２２６の先端部分が同時に指に食い込んでしまい、指がなお一層痛くなってしまうという問題があった。
【０００６】
本発明は、上記従来の問題に鑑みてなされたものであって、清掃用シートを放射状の切り溝の中心部分に指で押し入れて、この指を引き抜く際に、切り溝で分割される分割片の先端が一度に指に食い込むことを防ぐことができて、指の痛みを差程感じずに指を引き抜くことができ、清掃用シートを切り溝部分に安全な状態で係止して装着することができるシート状清掃具を提供することを目的としている。
【課題を解決するための手段】
【０００７】
本発明は、上記課題を解決するために提案されたものであって、本発明の第１の形態は、清掃具本体の上面の適宜箇所に弾性体を配置し、この弾性体に放射状の切り溝を形成し、前記清掃具本体の下面から上面にかけて清掃用シートを被せ、この清掃用シートの両端部分を前記弾性体の切り溝に指で押し込んで係止させるようにしたシート状清掃具において、前記弾性体の放射状の切り溝で分割される分割片の中で、１つ以上の分割片の剛性を対向する分割片の剛性より大きく形成したシート状清掃具である。
【０００８】
本発明の第２の形態は、清掃具本体の上面の適宜箇所に弾性体を配置し、この弾性体に放射状の切り溝を形成し、前記清掃具本体の下面から上面にかけて掃除用シートを被せ、この清掃用シートの両端部分を前記弾性体の切り溝に指で押し込んで係止させるようにしたシート状清掃具において、前記切り溝で分割される分割片の先端の中心部に穴部が形成され、各分割片の先端が突状湾曲先端に形成されたシート状清掃具である。
【０００９】
本発明の第３の形態は、清掃具本体の上面の適宜箇所に弾性体を配置し、この弾性体に放射状の切り溝を形成し、前記清掃具本体の下面から上面にかけて清掃用シートを被せ、この清掃用シートの両端部分を前記弾性体の切り溝に指で押し込んで係止させるようにしたシート状清掃具において、前記切り溝で分割される分割片の少なくとも１つ以上に、その表面又は／及び裏面において先端に向けて斜めに切り込んだ先鋭部が設けられたシート状清掃具である。
【００１０】
本発明の第４の形態は、清掃具本体の上面の適宜箇所に弾性体を配置し、この弾性体に放射状の切り溝を形成し、前記清掃具本体の下面から上面にかけて清掃用シートを被せ、この清掃用シートの両端部分を前記弾性体の切り溝に指で押し込んで係止させるようにしたシート状清掃具において、前記弾性体の放射状の切り溝で分割される分割片の全てに表面に盛り上がる大きさの等しい肉盛り部を設けたシート状清掃具である。
【００１１】
本発明の第５の形態は、前記切り溝は前記弾性体に幅大の分割片と幅小の分割片が形成されるように構成されたシート状清掃具である。
【００１２】
本発明の第６の形態は、前記分割片の少なくとも１つに表面に盛り上がる肉盛り部を設けて剛性を大きくしたシート状清掃具である。
【００１３】
本発明の第７の形態は、前記切り溝で分割される分割片の全てに表面に盛り上がる肉盛り部を設け、この肉盛り部の中において大きく盛り上がった大肉盛り部と小さく盛り上がった小肉盛り部を形成し、大肉盛り部により剛性を大きくしたシート状清掃具である。
【００１４】
本発明の第８の形態は、前記肉盛り部は、前記分割片の先端部が最も高く形成され、外側に向けて次第に低くなるように形成されているシート状清掃具である。
【００１５】
本発明の第９の形態は、前記肉盛り部は、前記分割片の先端部に突出状に形成されているシート状清掃具である。
【００１６】
本発明の第１０の形態は、前記分割片の少なくとも１つが他の分割片より肉厚に形成されて剛性を大きくしたシート状清掃具である。
【００１７】
本発明の第１１の形態は、前記分割片のうち少なくとも１つに、肉厚が同一の膨出部を形成して剛性を大きくしたシート状清掃具である。
【００１８】
本発明の第１２の形態は、前記分割片の先端は円弧状に形成されているシート状清掃具である。
【００１９】
本発明の第１３の形態は、第１の形態乃至第９の形態のいずれかのシート状清掃具において、前記弾性体に放射状の切り溝と同時に非放射状の切り溝を連通して形成したシート状清掃具である。
【発明の効果】
【００２０】
本発明の第１の形態によれば、清掃用シートの端部を切り溝で形成される複数の分割片で係止固定するときに、切り溝の中心部分に指で清掃用シートの端部を押し入れる。このとき、剛性の大きい分割片と剛性の小さい分割片が存在し、剛性の小さい分割片の方が曲がり易いから、切り溝の中心部に挿入される指は自然と剛性の小さい分割片側に移動し、この偏心位置で指が挿入されると結果的に剛性の小さい分割片が大きく曲がり（撓み）、剛性の大きな分割片は小さく曲がることになる。即ち、剛性の大きい分割片に対向する剛性の小さい分割片が先に下向きに撓む。その後に剛性の大きい分割片が下向きに若干撓むこととなるので、指に剛性の大きい分割片が食い込むことがない。特に、清掃用シートの端部を指で押し込んだ後にこの指を引き抜く際に、指に対向する分割片が同時的に食い込まないので、指が痛いという感じが殆どない状態で指を切り溝部分から引き抜くことができる。従って、従来のように、指を引き抜くときに、対向する分割片の先端が同時的に食い込むようなことがなく、指が千切れるような痛さを感じることがなく安全に指を引き抜くことができる。
【００２１】
本発明の第２の形態によれば、清掃用シートの端部を切り溝により形成される分割片で係止固定するときに、これらの分割片の先端部の中心部に穴部が形成されているので、指を入れるときにスムーズに入れることができる。また、指を引き抜くときに、穴部が形成され、しかも分割片の先端が突状湾曲先端に形成されていることによって、各分割片の先端が指に食い込む量が小さくなり、痛さを殆ど感じることなく指を引き抜くことができる。分割片の先端が鋭利な湾曲先端の場合には、その湾曲先端が指に食い込むことがあり、指を痛める可能性がある。しかし、本形態では先端が突状湾曲先端に形成されているから、その鋭利さが全く無く、指を痛めることがない。また、指を差し入れる際に、各分割片は下向きに撓むが、分割片の先端が鋭角でなく、しかも対向する分割片の先端の間隔が穴部の大きさ分だけ広くなるので、指を引き抜くときに、分割片の先端が指に食い込むことが抑制される。その分、指に痛さを殆ど感じることなくこの指を引き抜くことができる。
【００２２】
本発明の第３の形態によれば、分割片の先端部が斜めに切り込まれているので、この先鋭部は厚みが薄くなり、その結果、大きな柔軟性を有することにになる。従って、切り溝の中心部に指を差し入れる際に、先端に向けて斜めに切り込んだ先鋭部が指に沿って下向きに簡単に曲がるので、指にこれらの先端部が食い込むことがない。即ち、斜めに切り込んだ先鋭部は、その強度が弱くなって曲がりやすくなっているので、指を差し入れるときに、指の皮膚の部分に沿って曲がる。また、指を引き抜くときにも、先鋭部は指に痛みを与えることなく簡単に上方に曲がり折れ、これらの先鋭部が指に食い込むことがなく、痛さを殆ど感じることなく指を簡単に引き抜くことができる。また、先鋭部は清掃用シートの繊維間に食い込み、シートの抜止めの効果を発揮する。
【００２３】
本発明の第４の形態によれば、全ての分割片の表面に大きさの等しい肉盛り部を形成したから、切り溝の中心に指を挿入しても、肉盛り部が指の周囲に当接し、指に突き刺さることがない。従って、指を引き出すときでも、前記肉盛り部が指を押圧するだけであるから、指に突き刺さることがなく、肉盛り部が無い場合と比較して、指の痛みが大きく軽減される効果がある。
【００２４】
本発明の第５の形態によれば、幅小の分割片は、幅大の分割片よりも剛性が小さく、簡単に曲がる性質を有する。従って、放射状の切り溝の中心部に清掃用シートと一緒に指を差し入れるときに、幅大の分割片より先に幅小の分割片が下向きに撓み、その後に幅大の分割片が下向きに若干撓んで、各分割片が同時的に下向きに撓むことがない。これにより、幅大の分割片の先端と幅小の分割片の先端で指が挟まれることがない。従って、指を引き抜くときに、この指に対向する分割片の先端が同時に食い込むことがなく、痛さを殆ど感じることなく指を引き抜くことができる。
【００２５】
本発明の第６の形態によれば、肉盛り部を有する分割片の剛性は、肉盛り部のない分割片よりも剛性が大きいから、肉盛り部を有する分割片は曲がりにくく、肉盛り部のない分割片は曲がりやすい。従って、切り溝の中心部に清掃用シートと一緒に指を差し入れるときに、指が肉盛り部に先に当たるので、指の先端は肉盛り部を有しない分割片へと自然に移動する。つまり、指は肉盛り部のない分割片に移動して偏心した状態で当たる。この状態で指が差し込まれると、肉盛り部のない分割片が先に撓み、肉盛り部の有る分割片はわずかに撓み、両者が同時に下向きに撓むことがなく、指に各分割片の先端が同時的に食い込むことがない。従って、指を引き抜くときに、指に各分割片の先端が同時に食い込むことがなく、指が殆ど痛さを感じることなく引き抜くことができる。
【００２６】
本発明の第７の形態によれば、分割片の全てに肉盛り部を設け、この肉盛り部の中で大肉盛り部と小肉盛り部を形成し、大肉盛り部により剛性が大きくされている。従って、指が挿入される際に、剛性の小さな小肉盛り部の分割片の方が大きく曲がり、剛性の大きな大肉盛り部の分割片は小さく曲がるだけとなる。その結果、指に各分割片の先端が同時的に食い込むことがない。従って、指を引き抜くときに、指に各分割片の先端が同時に食い込むことがなく、指が殆ど痛さを感じることなく引き抜くことができる。
【００２７】
本発明の第８の形態によれば、肉盛り部の先端部が最も高く形成されているので、この部分の剛性が特に大きい。これにより、指を清掃用シートとともに切り溝の中心部に差し入れるときに、肉盛り部により指が肉盛り部の無い方に偏移し、肉盛り部がなく剛性が小さい分割片が先に下向きに曲がる（撓む）。その後に肉盛り部の有る分割片が下向きに若干撓むので、対向する分割片が指に左右から同時的に食い込むことがない。従って、指を引き抜くときに、指に対する各分割片が左右から食い込んでいないので、殆ど痛さを感じることなく指を引き抜くことができる。また、分割片の肉盛り部の最も高い先端部が指に接するので、指にこの先端部が食い込むことを防ぐことができる。
【００２８】
本発明の第９の形態によれば、肉盛り部を分割片の先端部に突出状に形成しているので、清掃用シートとともに指を差し入れるときに、突出状肉盛り部によって指が肉盛り部が存在しない方向に強制的に移動する。従って、肉盛り部のない分割片が指によって下方に曲がり、肉盛り部のある分割片の曲がりは極めて小さい。つまり、分割片が対向して指に食い込むことがないので、指を引き抜くときに痛さを感じることなく引き抜くことができる。前記突出形状は山状、棒状など任意の形状が選択される。
【００２９】
本発明の第１０の形態によれば、肉厚に形成された分割片は剛性が大きいので、切り溝の中心部分に清掃用シートとともに指を差し入れるときに、肉厚の小さい分割片が先に下向きに撓み（曲がり）、その後に肉厚の分割片が若干下向きに撓む。これにより、指に両側から分割片の先端が同時に食い込むことがない。従って、指を引き抜くときに、分割片が同時に指に食い込むことがなく、指に痛みを殆ど感じることなく、この指を引き抜くことができる。
【００３０】
本発明の第１１の形態によれば、分割片の少なくとも一つに、肉厚が同一の膨出部が形成される。本形態では、分割片の肉厚は同一であるが、少なくとも一つの分割片に凹状又は凸状の膨出部を形成すると、この膨出部の存在によってこの分割片の剛性が大きくなる。従って、膨出部の無い分割片の剛性が相対的に小さくなって、指の挿入時に、膨出部の無い分割片が先に大きく曲がり、指の痛みが大きく軽減される効果を生じる。
【００３１】
本発明の第１２の形態によれば、分割片の先端が円弧状に形成され、しかも中心部に円形の穴部が形成されることとなるので、この円形の穴部に指を差し入れやすい。しかも、分割片の先端が円弧状であるから、指に対する食い込みが極めて小さくなる。従って、指を穴部に差し入れて清掃用シートを分割片に係止した後、指を引き抜くときに、指には分割片の円弧状部分が当たる。この円弧状部分は指の表面に沿った形状であるために、指に痛さを殆ど感じることなく指を引き抜くことができる。
【００３２】
本発明の第１３の形態によれば、弾性体に放射状の切り溝と同時に非放射状の切り溝を連通して形成しているので、放射状切り溝によって指の痛みがなく清掃用シートを係止でき、しかも放射状切り溝によって係止力が強化される。この放射状の切り溝が例えば鋸歯状であれば、この鋸歯状部分で清掃用シートの端部を確実に係止することができる。これにより、清掃用シートが不用意に外れることを防止できる。つまり、鋸歯状の切り溝が形成されていても、放射状切り溝で分割される分割片の剛性に大小が有るので、指を差し入れるときに、剛性の弱い方の分割片が先に下向きに撓み、その後に剛性の大きい方の分割片が下向きに若干撓む。これにより、差し入れられた指に両側から鋸歯状部分が同時に食い込むことがない。従って、指を引き抜くときに、鋸歯状部分が同時に食い込むことがなくて、痛さを殆ど感じることなく指を引き抜くことができる。
【発明を実施するための最良の形態】
【００３３】
以下、本発明に係るシート状清掃具の実施の形態を、添付する図１〜図２３に基づいて詳細に説明する。
図１は本発明に係るシート状清掃具の第１実施形態を示し、（１Ａ）はその清掃用シートを取り付ける前の状態の平面図、（１Ｂ）はその清掃用シートを取り付けた後の状態を示す平面図である。（１Ａ）に示すように、第１実施形態のシート状清掃具は、厚みのある略長方形状の清掃具本体１の上面の左右位置にゴム製の弾性体２が着脱可能に取り付けられている。
【００３４】
この弾性体２は前後の清掃用シート３を取り付ける取付部２ａの周辺部が略楕円形状に形成され、これらの取付部２ａ、２ａは中央の略楕円形状の繋ぎ部２ｂで連設されている。各取付部２ａの中央から放射状に複数の切り溝２ｃが形成されていて、この放射状の複数の切り溝２ｃによって５つの分割片２ｄが形成されている。これら分割片２ｄのうち外側の３つの分割片２ｄにおける切り溝２ｃの中心部分の近傍箇所に肉盛り部２ｅがそれぞれ形成されている。
【００３５】
（１Ｂ）に示すように、清掃具本体１には下面側から上面側にかけて不織布等からなる清掃用シート３が取り付けられるようになっている。この取付け方は、清掃用シート３における清掃具本体１の上面側の端辺部が、弾性体２の各切り溝２ｃ部分に指Ｕで押し込まれる。これにより、切り溝２ｃで分割される分割片２ｄの縁部の内部に清掃用シート３の端片部が入り込んで係止されることにより着脱可能に取り付けられる。また、清掃具本体１の中央部には、把手４を取り付けるための支持用突出部１ａ、１ａが設けられている。
【００３６】
図２は同シート状清掃具の全体構成を示し、清掃用シートを取り付ける前の状態の斜視図である。図２に示すように、シート状清掃具は、その清掃具本体１の中央の支持用突出部１ａ、１ａに細長の把手４の下端部４ａが前後回動可能に取り付けられている。
【００３７】
図３は同シート状清掃具の清掃用シートを取り付けた後の斜視図である。図３に示すように、清掃具本体１の下面側から上面側にかけて清掃用シート３が取り付けられる。即ち、上記のように、清掃用シート３の上面側の端縁部が、清掃具本体１に取付けられた弾性体２の切り溝２ｃ部分に指で押し込まれ分割片２ｄの縁部の内部に入り込んで係止されることによって清掃用シートが取り付けられる。
図３の状態で清掃員や家庭の主婦等が把手４を手にもって、床等の表面に清掃用シート３を押し付けて前後にずらしながら室内の清掃を行なう。清掃用シート３が床等の表面の塵等で汚れたときには、清掃具本体１から清掃用シート３を取り外して新しい清掃用シート３と取り替えて再び清掃を行なう。
【００３８】
図４は同シート状清掃具の要部の縦断面図である。図４に示すように、清掃具本体１には左右両側に弾性体２を着脱可能に取り付ける凹所１ｂが形成されている。また、清掃具本体１は上下段に分割形成されていて、幅広の下部本体１ｃとこの下部本体１ｃに取り付けられる上部本体１ｄとから構成されている。幅広の下部本体１ｃはクッション性のよいゴム等の弾性体素材で形成されている。
【００３９】
上部本体１ｄの内側には、係止用突起部１ｅが両側に設けられ、中央部分にも係止用両辺突起部１ｆが設けられている。弾性体２には、上部本体１ｄの係止用突起部１ｅと係止用両辺突起部１ｆが係入係止される係止用凹部２ｆと係止用両側凹部２ｇが形成されている。これらの各係止部分が係止されることによって、弾性体２が清掃具本体１の上部本体１ｄに着脱自在に取付けられるようになっている。
【００４０】
図５は同シート状清掃具の要部の分解した状態の縦断面図である。図５に示すように、弾性体２は清掃具本体１の上部側から被せられるようにして清掃具本体１の上部本体１ｄに係入係止されて取り付けられる。従って、弾性体２が長期の使用で劣化したときには、この弾性体２を清掃具本体１から取り外す。その後に、新しい弾性体２と取り替えてこの新しい弾性体２を清掃具本体１に取り付けて繰り返し使用することができる。
【００４１】
図６は同シート状清掃具の要部を示し、（６Ａ）はその拡大部分
平面図、（６Ｂ）はその拡大部断面図、（６Ｃ）は指を切り溝の中心部に差し入れたときの状態を示す説明図、（６Ｄ）は指を引き抜くときの状態を示す説明図である。（６Ａ）（６Ｂ）に示すように、この第１実施形態では、放射状の切り溝２ｃが複数形成されて５つの分割片２ｄが形成されている。肉盛り部２ｅが３つの分割片２ｄに形成されていて、その先端部が最も高く形成され、外側に向けて次第に低くなるように形成されている。
【００４２】
この第１実施形態のシート状清掃具によれば、（６Ｃ）に示すように、切り溝２ｃの中心部に清掃用シート３と一緒に指Ｕを差し入れるときに、指Ｕの先端が剛性の大きい肉盛り部２ｅを滑り、先に肉盛り部２ｅを有しない剛性の小さい分割片２ｄに当り、その後に指Ｕの上側が肉盛り部２ｅに当たるので、指Ｕは各分割片２ｄに偏心した状態で当たる。これにより、指Ｕを差し入れると肉盛り部２ｅの無い剛性の小さい分割片２ｄが先に下向きに撓み、次いで肉盛り部２ｅのある剛性の大きい分割片２ｄが下向きに撓む。従って、肉盛り部２ｅのない分割片２ｄと肉盛り部２ｅの有る分割片２ｄが同時的に下向きに撓むことがなくて指Ｕに各分割片２ｄの先端が食い込むことがない。これにより、（６Ｄ）に示すように、指Ｕを引き抜くときに、指Ｕに各分割片２ｄの先端が同時的に食い込むことがなくて、指Ｕが殆ど痛さを感じることなく引き抜くことができる。
【００４３】
図７は同シート状清掃具の第２実施形態の要部を示し、（７Ａ）はその拡大部分平面図、（７Ｂ）はその拡大部断面図、（７Ｃ）は指を切り溝の中心部に差し入れたときの状態を示す説明図、（７Ｄ）は指を引き抜くときの状態を示す説明図である。（７Ａ）（７Ｂ）に示すように、この第２実施形態では、肉盛り部２ｅが隣り合う２つの分割片２ｄに形成されている。
【００４４】
この第２実施形態のシート状清掃具によれば、上記した第１実施形態のシート状清掃具と同様に、（７Ｃ）に示すように、切り溝２ｃの中心部に清掃用シート３と一緒に指Ｕを差し入れるときに、指Ｕの先端が先に肉盛り部２ｅを有しない分割片２ｄに当り、その後に指Ｕの上側が肉盛り部２ｅに当たるので、指Ｕは各分割片２ｄに偏心した状態で当たる。この状態で指Ｕが差し込まれて、肉盛り部２ｅのない分割片２ｄと肉盛り部２ｅの有る分割片２ｄが同時に下向きに撓むことがなくて指Ｕに各分割片２ｄの先端が同時的に食い込むことがない。従って、（７Ｄ）に示すように、指Ｕを引き抜くときに、指Ｕに各分割片２ｄの先端が同時的に食い込むことがなく、指Ｕが殆ど痛さを感じることなく引き抜くことができる。
【００４５】
図８は同シート状清掃具の第３実施形態の要部を示し、（８Ａ）はその拡大部分平面図、（８Ｂ）はその拡大部分断面図、（８Ｃ）は指を切り溝の中心部に差し入れたときの状態を示す説明図、（８Ｄ）は指を引き抜くときの状態を示す説明図である。（８Ａ）（８Ｂ）に示すように、この第３実施形態では、肉盛り部２ｅが一つの分割片２ｄに形成されている。
【００４６】
この第３実施形態のシート状清掃具によれば、上記した第１実施形態のシート状清掃具と同様に、（８Ｃ）に示すように、切り溝２ｃの中心部に清掃用シート３と一緒に指Ｕを差し入れるときに、指Ｕの先端が先に肉盛り部２ｅを有しない分割片２ｄに当り、その後に指Ｕの上側が肉盛り部２ｅに当たるので、指Ｕは各分割片に偏心した状態で当たる。この状態で指Ｕが切り溝２ｃの交差部分に差し込まれて、肉盛り部２ｅのない分割片２ｄと肉盛り部２ｅの有る分割片２ｄが同時に下向きに撓むことがなくて指Ｕに各分割片２ｄの先端が同時的に食い込むことがない。従って、（８Ｄ）に示すように、指Ｕを引き抜くときに、指Ｕに各分割片２ｄの先端が同時的に食い込むことがなく、指Ｕが殆ど痛さを感じることなく引き抜くことができる。
【００４７】
図９は同シート状清掃具の第４実施形態の要部を示し、（９Ａ）はその拡大部分平面図、（９Ｂ）はその拡大部断面図、（９Ｃ）は指を切り溝の中心部に差し入れたときの状態を示す説明図、（９Ｄ）は指を引き抜くときの状態を示す説明図である。（９Ａ）（９Ｂ）に示すように、この第４実施形態では、肉盛り部２ｅが内側に位置する２つの分割片２ｄに形成されている。
【００４８】
従って、この第９実施形態のシート状清掃具によれば、（９Ｃ）に示すように、切り溝２ｃの中心部に清掃用シート３と一緒に指Ｕを差し入れるときに、指Ｕの先端が先に肉盛り部２ｅを有しない分割片２ｄに当り、その後に指Ｕの上側が肉盛り部２ｅに当たるので、指Ｕは各分割片に偏心した状態で当たる。この状態で指Ｕが差し込まれて、肉盛り部２ｅのない分割片２ｄと肉盛り部２ｅの有る分割片２ｄが同時に下向きに撓むことがなくて指Ｕに各分割片２ｄの先端が同時的に食い込むことがない。従って、（９Ｄ）に示すように、指Ｕを引き抜くときに、指Ｕに各分割片２ｄの先端が同時的に食い込むことがなく、指Ｕが殆ど痛さを感じることなく引き抜くことができる。
【００４９】
図１０は同シート状清掃具の第５実施形態の要部を示し、（１０Ａ）はその拡大部分平面図、（１０Ｂ）はその拡大部断面図、（１０Ｃ）は指を切り溝の中心部に差し入れたときの状態を示す説明図、（１０Ｄ）は指を引き抜くときの状態を示す説明図である。（１０Ａ）（１０Ｂ）に示すように、この第５実施形態のシート状清掃具は、分割片２ｄの隣り合う３片２ｈを厚く形成して、他の隣合う２片２ｉを薄く形成している。
【００５０】
従って、この第５実施形態によれば、（１０Ｃ）に示すように、切り溝２ｃの中心部分に清掃用シート３とともに指Ｕを差し入れると、薄くて剛性の小さい分割片２ｉが先に下向きに撓み、その後に厚くて剛性の大きい分割片２ｈが撓む。指Ｕを引き抜くときには、（１０Ｄ）に示すように、厚い分割片２ｈは指Ｕに食い込まず、薄い分割片２ｉも指Ｕに食い込むことなく指Ｕを引き抜くことができる。これにより、指Ｕを引き抜くときに、痛みを感じることがない。
【００５１】
図１１は同シート状清掃具の第６実施形態の要部を示し、（１１Ａ）はその拡大部分平面図、（１１Ｂ）はその拡大部断面図、（１１Ｃ）は指を切り溝の中心部に差し入れたときの状態を示す説明図、（１１Ｄ）は指を引き抜くときの状態を示す説明図である。（１１Ａ）（１１Ｂ）に示すように、この第５実施形態のシート状清掃具は、分割片２ｄの隣り合う１片２ｈを厚く形成して、他の複数片２ｉを薄く形成している。
【００５２】
従って、この第６実施形態によれば、（１１Ｃ）に示すように、切り溝２ｃの中心部分に清掃用シート３とともに指Ｕを差し入れると、薄い分割片２ｉが先に下向きに撓み、その後に厚い分割片２ｈが撓む。指Ｕを引き抜くときには、（１１Ｄ）に示すように、厚い分割片２ｈは指Ｕに食い込まず、薄い分割片２ｉも指Ｕに食い込むことなく指Ｕを引き抜くことができる。これにより、指Ｕを引き抜くときに、痛みを感じることがない。
【００５３】
図１２は同シート状清掃具の第７実施形態の要部を示し、（１２Ａ）はその拡大部分平面図、（１２Ｂ）はその拡大部断面図、（１２Ｃ）は指を切り溝の中心部に差し入れたときの状態を示す説明図、（１２Ｄ）は指を引き抜くときの状態を示す説明図である。（１２Ａ）（１２Ｂ）に示すように、放射状の切り溝２ｃが、弾性体２に幅大の分割片２ｊと幅小の分割片２ｋが形成されるように複数設けられている。
【００５４】
従って、この第７実施形態によれば、放射状の切り溝２ｃの中心部に清掃用シート３と一緒に指Ｕを差し入れるときに、（１２Ｃ）に示すように、剛性の大きい幅大の分割片２ｊより先に剛性の小さい幅小の分割片２ｋが下向きに撓み、その後に剛性の大きい幅大の分割片２ｊが下向きに若干撓んで、各分割片２ｊ、２ｋが同時に下向きに撓むことがない。これにより、幅大の分割片の先端と幅小の分割片の先端で指が同時的に挟まれることがない。従って、（１２Ｄ）に示すように、指Ｕを引き抜くときに、この指Ｕに各分割片２ｊ、２ｋの先端が同時に食い込むことがなく、痛さを殆ど感じることなく指Ｕを引き抜くことができる。
【００５５】
図１３は同シート状清掃具の第８実施形態の要部を示し、（１３Ａ）はその拡大部分平面図、（１３Ｂ）はその拡大部断面図、（１３Ｃ）は指を切り溝の中心部に差し入れたときの状態を示す説明図である。（１３Ａ）（１３Ｂ）に示すように、切り溝２ｃで分割される分割片２ｄの全てに、その裏面において先端に向けて斜めに切り込んだ先鋭部２ｍが設けられている。
【００５６】
従って、この第８実施形態によれば、（１３Ｃ）に示すように、切り溝２ｃの中心部に指Ｕを差し入れる際に、先端に向けて斜めに切り込んだ先鋭部２ｍが厚みが薄くて大きな柔軟性を有していて指Ｕに沿って下向きに曲がるので、指Ｕにこれらの先端部２ｍが食い込むことがない。即ち、斜めに切り込んだ先鋭部２ｍは、その強度が弱くて曲がりやすくなっているので、指Ｕを差し入れるときに、指Ｕの皮膚の部分に沿って曲がる。このことにより、指Ｕを引き抜くときに、これらの先鋭部２ｍが簡単に上方に曲がり折れて指Ｕに食い込むことがなく、痛さを殆ど感じることなく指Ｕを引き抜くことができる。尚、これに限らず、分割片２ｄの全てに、その表面において先端に向けて斜めに切り込んだ先鋭部を設けても同様な作用をなすことは勿論である。
【００５７】
図１４は同シート状清掃具の第９実施形態の要部を示し、（１４Ａ）はその拡大部分平面図、（１４Ｂ）はその拡大部断面図、（１４Ｃ）は指を切り溝の中心部に差し入れたときの状態を示す説明図である。（１４Ａ）（１４Ｂ）に示すように、分割片２ｄの先端が突状湾曲先端２ｄ１に形成されて、中心部に円状の穴部２ｎが形成されている。
【００５８】
従って、この第９実施形態によれば、（１４Ｃ）に示すように、中心部に円形の穴部２ｎが形成されているので、この円形の穴部２ｎに指Ｕを差し入れやすい。また、指Ｕを穴部２ｎに差し入れて清掃用シート３を分割片２ｄに係止した後、指Ｕを引き抜くときに、指Ｕには分割片２ｄの突状湾曲先端２ｄ１が当たり、指Ｕに食い込む量が小さい。また、この突状湾曲先端２ｄ１は指Ｕに当接しても突状湾曲しているから、指に食い込むことが殆ど無く、指Ｕに痛さを殆ど感じることなく指Ｕを引き抜くことができる。
【００５９】
図１５は従来のシート状清掃具と本発明に係るシート状清掃具を比較するために示したもので、（１５Ａ）は従来のシート状清掃具の部分平面図、（１５Ｂ）（１５Ｃ）は本発明に係るシート状清掃具を種類別に示した部分平面図、（１５Ｄ）はシート状清掃具の弾性体の切り溝で分割片の全てに肉盛り部を設けた状態の部分平面図である。
【００６０】
（１５Ａ）に示すように、従来のシート状清掃具には、５条の放射状の切り溝２ｃが形成されている。（１５Ｂ）に示す本発明のシート状清掃具には、切り溝２ｃの中心部に穴部２ｎが形成され、（１５Ｃ）に示す本発明のシート状清掃具には、隣り合う３片の分割片２ｄの先端部分に肉盛り部２ｅが形成されている。（１５Ｄ）に示すシート状清掃具には、全ての分割片２ｄに肉盛り部２ｅが形成されている。
【００６１】
図１６は図１５に示す各シート状清掃具の切り溝の中心部分に指を差し入れて引き抜くときの指の痛さ加減を示す表である。図１６に示す表は、主婦６人に図１５に示す各シート状清掃具の弾性体２の切り溝２ｃの中心部に指Ｕを差し入れて引き抜いたときの指Ｕの痛さについてアンケートを取ったものである。
【００６２】
この表に示すように、（１５Ａ）に示す従来のシート状清掃具では、６人の内５人の主婦が痛さを感じている。（１５Ｂ）に示す本発明のシート状清掃具では、１人が痛さを感じなく、４人がやや痛いという感じを受け、１人が痛さを感じたという結果が出た。（１５Ｃ）に示す本発明のシート状清掃具では、１人が痛さを感じなく、５人がやや痛いという結果が出た。（１５Ｄ）に示すシート状清掃具では、４人がやや痛く感じ２人が痛さを感じたという結果が出た。従って、この表に示すように、本発明のシート状清掃具が指Ｕの痛さの感じ方では最も優れた結果が出たことが判明した。
【００６３】
図１７は従来のシート状清掃具の切り溝の中心部分に指を入れて引き抜く工程を示し、（１７Ａ）はその切り溝の中心部分に指を差し入れる直前の状態を示す説明図、（１７Ｂ）はその切り溝の中心部分に指を少し差し入れた状態の説明図、（１７Ｃ）はその切り溝の中心部分に指を差し入れた後の引き抜くときの分割片の先端部が指に食い込んでいる状態の説明図である。
【００６４】
従来のシート状清掃具に、（１７Ａ）から（１７Ｂ）を経て（１７Ｃ）に示すように、指Ｕを切り溝２ｃの中心部分に差し込んで引き抜くと、（１７Ｃ）に明示するように、指Ｕに全ての分割片２ｄの先端が食い込んで千切れるような痛さを感じることとなる。
【００６５】
図１８は本発明に係るシート状清掃具である肉盛り部を一方の分割片に設けたものに指を差し入れて引き抜くときの工程を示し、（１８Ａ）はその指を差し入れるときの状態を示す説明図、（１８Ｂ）はその指を引き抜くときの状態を示す説明図である。
【００６６】
（１８Ａ）に示すように、本発明のシート状清掃具における一部の分割片２ｄに肉盛り部２ｅを形成したものでは、切り溝２ｃの中心部分に指Ｕを差し入れると、肉盛り部２ｅの無い分割片２ｄが先に下向きに撓む。その後に肉盛り部２ｅの有る分割片２ｄが少し下向きに撓む。この結果、（１８Ｂ）に示すように、指Ｕを引き抜くときに、分割片２ｄの先端部分が指Ｕに同時的に食い込むことがなく、痛さを殆ど感じることがない。
【００６７】
図１９は従来のシート状清掃具と本発明に係るシート状清掃具のそれぞれの切り溝の中心部分に指を差し入れた状態を示し、（１９Ａ）は従来のシート状清掃具の場合の分割片が指に食い込んだ状態の説明図、（１９Ｂ）は本発明に係るシート状清掃具の場合の分割片が指に当たっている状態の説明図である。
【００６８】
（１９Ａ）に示すように、従来のシート状清掃具の分割片２ｄには肉盛り部２ｅが無いので、指Ｕに分割片２ｄの先端が食い込みやすく、痛さを感じてしまう。これに対して、本発明のシート状清掃具のように分割片２ｄに肉盛り部２ｅが設けられていると指Ｕに分割片２ｄの先端が食い込み難く痛さを殆ど感じない。
【００６９】
図２０はシート状清掃具の表面に取付けられる弾性体の表面硬度の差による切り溝の中心部分に指を差し入れて引き抜くときの痛さを比較検討した結果を示す表である。図２０に示すように、表面硬度が３５Ｄと４０Ｄと４５Ｄと突起即ち肉盛り部２ｅが設けられている４５Ｄの弾性体２について、指入れ痛さの評価を５人の主婦によってしてもらった。その結果、３５Ｄの表面硬度のものが最も痛さを感じなかった。
【００７０】
４０Ｄの表面硬度のものについては、３５Ｄに次ぐ痛さを感じる程度の結果が出た。４５Ｄの表面硬度のものについては最も痛さを感じたという結果が出た。突起即ち肉盛り部２ｅが設けられている４５Ｄのものについては、肉盛り部２ｅが設けられていない４５Ｄのものよりも痛さを感じる程度が低いことが判明した。
【００７１】
図２１はシート状清掃具の表面に取り付けられる弾性体の表面硬度の差による切り溝部分に不織布からなる清掃用シートの引っ張り強度試験結果を示す表である。図２１に示すように、図２０に対応して、表面硬度に差がある弾性体２による不織布からなる清掃用シート３の引っ張り強度については、表面硬度が最も低い３５Ｄのものが最も弱いという結果が出た。次に４０Ｄのものが弱く、４５Ｄのものが最も引っ張り強度が強く、次に突起即ち肉盛り部２ｅが設けられているものが引っ張り強度が強いという結果が出た。
【００７２】
図２２はシート状清掃具の表面に取り付けられる弾性体の表面硬度の差に基づいた図２１に示す引っ張り強度試験結果の平均値を示すグラフである。図２１に示すように、引っ張り強度の平均値は、表面硬度が３５Ｄの弾性体２が２．７９で、表面硬度が４０Ｄの弾性体２が４．７０で、表面硬度が４５Ｄの弾性体２が８．７７という結果が出ている。
【００７３】
従って、表面硬度が高い弾性体２は引っ張り強度は強いが指Ｕを差し入れて引き抜くときの痛さがもっと痛く、表面硬度が低い弾性体２は引っ張り強度は弱いが指Ｕを差し入れて引き抜くときの痛さは殆ど無いという結果が出た。これらの試験結果から云えることは、引っ張り強度が強くしかも指Ｕを差し入れて引き抜くときの痛さを殆ど感じないものとしては、表面硬度が４５Ｄで突起即ち肉盛り部２ｅの設けられている弾性体２が最も好ましいものであることが判明した。
【００７４】
図２３は大肉盛り部と小肉盛り部を形成したシート状清掃具の第１０実施形態の説明図である。（２３Ａ）及び（２３Ｂ）に示されるように、全ての分割片２ｄに肉盛り部が形成され、その内の一部には剛性が大の大肉盛り部２ｅ１が形成され、他の分割片には剛性が小の小肉盛り部２ｅ２が形成されている。（２３Ｃ）のように、指を挿入すると、小肉盛り部２ｅ２は大きく曲がり、大肉盛り部２ｅ１は小さく曲がる。その結果、指を引き出す際には、（２３Ｄ）に示すように、大肉盛り部２ｅ１が先に反転し、大肉盛り部２ｅ１と小肉盛り部２ｅ２が同時的に指を挟みこむことが無く、指の痛みは大きく軽減される。
【００７５】
図２４は一つ以上の分割片に膨出部を形成したシート状清掃具の第１１実施形態の説明図である。（２４Ａ）及び（２４Ｂ）に示されるように、一部の分割片２ｄに膨出部２ｓが形成され、他の分割片２ｄには何も形成されていない。全ての分割片２ｄの肉厚は同一であるが、膨出部２ｓの存在によって、膨出部２ｓが形成された分割片は他の分割片よりも剛性が大きくなる。従って、（２４Ｃ）のように、指を挿入すると、膨出部２ｓの無い分割片は大きく曲がり、膨出部２ｓの分割片は小さく曲がる。その結果、指を引く出す際には、（２４Ｄ）に示すように、膨出部２ｓのある分割片が先に反転し、対向する分割片が同時的に指を挟みこむことが無く、指の痛みは大きく軽減される。
【００７６】
図２５は大きさの等しい肉盛り部が全分割片に形成されたシート状清掃具の第１２実施形態の説明図である。（２５Ａ）及び（２５Ｂ）に示されるように、全ての分割片２ｄに大きさの等しい肉盛り部２ｅが形成されている。従って、全ての分割片の剛性は同一であるから、（２５Ｃ）のように、指を挿入すると、全ての分割片２ｅは同様に曲がる。しかし、指には肉盛り部２ｅが押接し、分割片の先鋭な先端が食い込むことは無い。また、指を引く出す際には、（２５Ｄ）に示すように、肉盛り部２ｅが反転するが、先鋭な先端が指に食い込むことが無いから、引き出す際に指の痛みは大きく軽減されることになる。
【００７７】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００７８】
この発明に係るシート状清掃具は、家庭や事務所や工場の床材、及び店舗の床などを清掃するときに用いられ、清掃用シートを定期的に取り替えてメーカーなどからユーザーにレンタルするようにしてもよいものである。
【図面の簡単な説明】
【００７９】
【図１】本発明に係るシート状清掃具の第１実施形態を示し、（１Ａ）はその清掃用シートを取り付ける前の状態の平面図、（１Ｂ）はその清掃用シートを取り付けた後の状態を示す平面図である。
【図２】同シート状清掃具の全体構成を示し、清掃用シートを取り付ける前の状態の斜視図である。
【図３】同シート状清掃具の清掃用シートを取り付けた後の斜視図である。
【図４】同シート状清掃具の要部の縦断面図である。
【図５】同シート状清掃具の要部の分解した状態の縦断面図である。
【図６】同シート状清掃具の要部を示し、（６Ａ）はその拡大部分平面図、（６Ｂ）はその拡大部断面図、（６Ｃ）は指を切り溝の中心部に差し入れたときの状態を示す説明図、（６Ｄ）は指を引き抜くときの状態を示す説明図である。
【図７】同シート状清掃具の第２実施形態の要部を示し、（７Ａ）はその拡大部分平面図、（７Ｂ）はその拡大部断面図、（７Ｃ）は指を切り溝の中心部に差し入れたときの状態を示す説明図、（７Ｄ）は指を引き抜くときの状態を示す説明図である。
【図８】同シート状清掃具の第３実施形態の要部を示し、（８Ａ）はその拡大部分平面図、（８Ｂ）はその拡大部分断面図、（８Ｃ）は指を切り溝の中心部に差し入れときの状態を示す説明図、（８Ｄ）は指を引き抜くときの状態を示す説明図である。
【図９】同シート状清掃具の第４実施形態の要部を示し、（９Ａ）はその拡大部分平面図、（９Ｂ）はその拡大部断面図、（９Ｃ）は指を切り溝の中心部に差し入れたときの状態を示す説明図、（９Ｄ）は指を引き抜くときの状態を示す説明図である。
【図１０】同シート状清掃具の第５実施形態の要部を示し、（１０Ａ）はその拡大部分平面図、（１０Ｂ）はその拡大部断面図、（１０Ｃ）は指を切り溝の中心部に差し入れたときの状態を示す説明図、（１０Ｄ）は指を引き抜くときの状態を示す説明図である。
【図１１】同シート状清掃具の第６実施形態の要部を示し、（１１Ａ）はその拡大部分平面図、（１１Ｂ）はその拡大部断面図、（１１Ｃ）は指を切り溝の中心部に差し入れたときの状態を示す説明図、（１１Ｄ）は指を引き抜くときの状態を示す説明図である。
【図１２】同シート状清掃具の第７実施形態の要部を示し、（１２Ａ）はその拡大部分平面図、（１２Ｂ）はその拡大部断面図、（１２Ｃ）は指を切り溝の中心部に差し入れたときの状態を示す説明図、（１２Ｄ）は指を引き抜くときの状態を示す説明図である。
【図１３】同シート状清掃具の第８実施形態の要部を示し、（１３Ａ）はその拡大部分平面図、（１３Ｂ）はその拡大部断面図、（１３Ｃ）は指を切り溝の中心部に差し入れたときの状態を示す説明図である。
【図１４】同シート状清掃具の第９実施形態の要部を示し、（１４Ａ）はその拡大部分平面図、（１４Ｂ）はその拡大部断面図、（１４Ｃ）は指を切り溝の中心部に差し入れたときの状態を示す説明図である。
【図１５】従来のシート状清掃具と本発明に係るシート状清掃具を比較するために示したもので、（１５Ａ）は従来のシート状清掃具の部分平面図、（１５Ｂ）（１５Ｃ）は本発明に係るシート状清掃具を種類別に示した部分平面図、（１５Ｄ）はシート状清掃具の弾性体の切り溝で分割片の全てに肉盛り部を設けた状態の部分平面図である。
【図１６】図１５に示す各シート状清掃具の切り溝の中心部分に指を差し入れて引き抜くときの指の痛さ加減を示す表である。
【図１７】従来のシート状清掃具の切り溝の中心部分に指を入れて引き抜く工程を示し、（１７Ａ）はその切り溝の中心部分に指を差し入れる直前の状態を示す説明図、（１７Ｂ）はその切り溝の中心部分に指を少し差し入れた状態の説明図、（１７Ｃ）はその切り溝の中心部分に指を差し入れた後の引き抜くときの分割片の先端部が指に食い込んでいる状態の説明図である。
【図１８】本発明に係るシート状清掃具である肉盛り部を一方の分割片に設けたものに指を差し入れて引き抜くときの工程を示し、（１８Ａ）はその指を差し入れるときの状態を示す説明図、（１８Ｂ）はその指を引き抜くときの状態を示す説明図である。
【図１９】従来のシート状清掃具と本発明に係るシート状清掃具のそれぞれの切り溝の中心部分に指を差し入れた状態を示し、（１９Ａ）は従来のシート状清掃具の場合の分割片が指に食い込んだ状態の説明図、（１９Ｂ）は本発明に係るシート状清掃具の場合の分割片が指に当たっている状態の説明図である。
【図２０】シート状清掃具の表面に取付けられる弾性体の表面硬度の差による切り溝の中心部分に指を差し入れて引き抜くときの痛さを比較検討した結果を示す表である。
【図２１】シート状清掃具の表面に取り付けられる弾性体の表面硬度の差による切り溝部分に不織布からなる清掃用シートの引っ張り強度試験結果を示す表である。
【図２２】シート状清掃具の表面に取り付けられる弾性体の表面硬度の差に基づいた図２１に示す引っ張り強度試験結果の平均値を示すグラフである。
【図２３】図２３は大肉盛り部と小肉盛り部を形成したシート状清掃具の第１０実施形態の説明図である。
【図２４】図２４は一つ以上の分割片に膨出部を形成したシート状清掃具の第１１実施形態の説明図である。
【図２５】図２５は大きさの等しい肉盛り部が全分割片に形成されたシート状清掃具の第１２実施形態の説明図である。
【図２６】従来の改良された掃除具を示し、（２６Ａ）は繊維布を取り付ける前の斜視図、（２６Ｂ）はその部分拡大斜視図、（２６Ｃ）は繊維布を取付ける状態の斜視図である。
【図２７】同掃除具の切れ目の中心部分に指を差し入れて引き抜くときの状態を示す説明図である。
【図２８】従来の清掃用具を示し、（２８Ａ）は不織布シートを取り付ける前の平面図、（２８Ｂ）は不織布シートを取り付けた状態の平面図である。
【図２９】同清掃用具の全体構造を示す斜視図である。
【図３０】同清掃用具の部分拡大平面図である。
【符号の説明】
【００８０】
１      清掃具本体
１ａ    支持用突出部
１ｂ    凹所
１ｃ    下部本体
１ｄ    上部本体
１ｅ    係止用突起部
１ｆ    係止用両辺突起部
２      弾性体
２ａ    取付部
２ｂ    繋ぎ部
２ｃ    切り溝
２ｄ    分割片
２ｅ    肉盛り部
２ｅ１  大肉盛り部
２ｅ２  小肉盛り部
２ｆ    係止用凹部
２ｇ    係止用両側凹部
２ｈ    厚い分割片
２ｉ    薄い分割片
２ｊ    幅大の分割片
２ｋ    幅小の分割片
２ｍ    先鋭部
２ｎ    穴部
２ｓ    膨出部
３      清掃用シート
４      把手
４ａ    下端部
【図１】
2005334496.tif 000003
【図２】
2005334496.tif 000004
【図３】
2005334496.tif 000005
【図４】
2005334496.tif 000006
【図５】
2005334496.tif 000007
【図６】
2005334496.tif 000008
【図７】
2005334496.tif 000009
【図８】
2005334496.tif 000010
【図９】
2005334496.tif 000011
【図１０】
2005334496.tif 000012
【図１１】
2005334496.tif 000013
【図１２】
2005334496.tif 000014
【図１３】
2005334496.tif 000015
【図１４】
2005334496.tif 000016
【図１５】
2005334496.tif 000017
【図１６】
2005334496.tif 000018
【図１７】
2005334496.tif 000019
【図１８】
2005334496.tif 000020
【図１９】
2005334496.tif 000021
【図２０】
2005334496.tif 000022
【図２１】
2005334496.tif 000023
【図２２】
2005334496.tif 000024
【図２３】
2005334496.tif 000025
【図２４】
2005334496.tif 000026
【図２５】
2005334496.tif 000027
【図２６】
2005334496.tif 000028
【図２７】
2005334496.tif 000029
【図２８】
2005334496.tif 000030
【図２９】
2005334496.tif 000031
【図３０】
2005334496.tif 000032